(57)【要約】【課題】全体の形状の小型化、薄型化を図るとともに、コネクタプラグの上下、左右のこじりに対する強度を確保したものを提供すること。【解決手段】ハウジングをシールドケースで被覆し、このシールドケースの内部に、少なくとも２連のコネクタ挿入孔を具備してなる多連コネクタにおいて、前記コネクタ挿入孔の相互間の境界箇所にハウジングと一体の仕切り壁を設け、この仕切り壁に、前記シールドケースの天板部から底板部まで達する長さの仕切り補強金具を被せ、この仕切り補強金具の上端部でシールドケースの天板部と連結し、前記仕切り壁の下端部でシールドケースの底板部と連結する。【選択図】図１
2010080360.tif 000002
【特許請求の範囲】
【請求項１】
ハウジングをシールドケースで被覆し、このシールドケースの内部に、少なくとも２連のコネクタ挿入孔を具備してなる多連コネクタにおいて、前記コネクタ挿入孔の相互間の境界箇所におけるシールドケースの天板部と底板部の間に仕切り補強金具を介在したことを特徴とする多連コネクタ。
【請求項２】
ハウジングをシールドケースで被覆し、このシールドケースの内部に、少なくとも２連のコネクタ挿入孔を具備してなる多連コネクタにおいて、前記コネクタ挿入孔の相互間の境界箇所にハウジングと一体の仕切り壁を設け、この仕切り壁に、前記シールドケースの天板部から底板部まで達する長さの仕切り補強金具を被せ、この仕切り補強金具の上端部でシールドケースの天板部と連結し、前記仕切り壁の下端部でシールドケースの底板部と連結したことを特徴とする多連コネクタ。
【請求項３】
仕切り壁は、ハウジングの後方から前方へ角柱状に突設してなり、この仕切り壁の上面にガイド溝を形成し、かつ、前端部に係止溝を形成し、仕切り補強金具は、断面下向きコ字形で、上面に係止部を形成し、両側面下端部が底板部に接触する長さを有し、天板部に、下向きＬ字形に切り起こして係止片を形成し、底板部に、前端部の一部を切り起こし、かつ、後方へ折曲した折込片を形成し、前記天板部の係止片を前記仕切り壁のガイド溝に差し込んで前記仕切り補強金具の係止部の下面に係止し、前記底板部の折込片を前記仕切り壁の係止溝に係止したことを特徴とする請求項２記載の多連コネクタ。
【請求項４】
仕切り壁は、ハウジングの後方から前方へ角柱状に突設し、この仕切り壁の前端部に係止溝を形成し、仕切り補強金具は、断面下向きコ字形で、上面に係止片を形成し、両側面下端部を底板部に接触する長さを有し、天板部に、下向きに切り起こして係止部を形成し、底板部に、前端部の一部を切り起こし、かつ、後方へ折曲した折込片を形成し、前記天板部の係止部に前記仕切り補強金具の係止片を差し込み係止し、前記底板部の折込片を前記仕切り壁の係止溝に係止したことを特徴とする請求項２記載の多連コネクタ。
【請求項５】
シールドケースの天板部と、仕切り補強金具の上面と、仕切り壁と、シールドケースの底板部とに、上下に貫通する差込孔を穿設し、これらの差込孔に固定ピンを差し込み、この固定ピンの上下端部の突出部分を抜け止め係止したことを特徴とする請求項２記載の多連コネクタ。
【発明の詳細な説明】
【技術分野】
【０００１】
本発明は、２連以上のコネクタが同一の筐体内に並んで形成された多連コネクタに関するものである。
【背景技術】
【０００２】
従来、２連以上のコネクタが同一の筐体内に並んで形成されたタイプの多連コネクタには、全体の外周囲がプラスチックモールドのみで被覆されているものが知られている。このタイプのものは、機械的な強度を確保するために、モールドの厚みが必要であり、形状の小型化に限度あった。
【０００３】
また、プラスチックのハウジングの外周をシールドケース兼用の金属シェルで被覆されているもの（特許文献１）も知られている。これは、図７に示すように、ハウジング１０は、同軸コネクタ差し込み孔１４を有する同軸コネクタ部１２と多極コネクタ差し込み孔１５を有する多極コネクタ部１３とを並べて平らに形成し、このハウジング１０にシールドケース１１の前筒部１８を被せたものである。前記ハウジング１０とシールドケース１１の固定には、同軸コネクタ部１２と多極コネクタ部１３との境に保持溝１６を形成し、シールドケース１１に折曲形成した屈曲係止縁１７を圧入してなるものである。なお、１９は、カバー体である。
【特許文献１】特開２００２−７５５６１号公報
【発明の開示】
【発明が解決しようとする課題】
【０００４】
図７に示したものは、ハウジング１０をシールドケース１１で被覆してあるため、ハウジング１０の厚さは必要最低限に抑えられ、全体の形状の小型、薄型化が可能となる利点がある。
しかし、多連コネクタでは、ハウジング１０の全体がシールドケース１１で被覆されているだけであって、各コネクタプラグごとに被覆されているものではないので、いずれか一つの同軸コネクタ部１２または多極コネクタ部１３にコネクタプラグを挿抜すると、挿抜の際にコネクタプラグによる上下、左右のこじりが作用し、コネクタ同士の境界部分が破壊して接触不良を発生するという問題があった。
【０００５】
本発明は、全体の形状の小型化、薄型化を図るとともに、コネクタプラグの上下、左右のこじりに対する強度を確保したものを提供することを目的とするものである。
【課題を解決するための手段】
【０００６】
本発明の多連コネクタは、ハウジングをシールドケースで被覆し、このシールドケースの内部に、少なくとも２連のコネクタ挿入孔を具備してなる多連コネクタにおいて、前記コネクタ挿入孔の相互間の境界箇所におけるシールドケースの天板部と底板部の間に仕切り補強金具を介在したことを特徴とする。
本発明は、前記仕切り補強金具だけでなく、コネクタ挿入孔の相互間の境界箇所にハウジングと一体の仕切り壁を設け、この仕切り壁に、前記シールドケースの天板部から底板部まで達する長さの仕切り補強金具を被せ、この仕切り補強金具の上端部でシールドケースの天板部と連結し、前記仕切り壁の下端部でシールドケースの底板部と連結したことを特徴とする。
【０００７】
さらに具体的には、仕切り壁は、ハウジングの後方から前方へ角柱状に突設してなり、この仕切り壁の上面にガイド溝を形成し、かつ、前端部に係止溝を形成し、仕切り補強金具は、断面下向きコ字形で、上面に係止部を形成し、両側面下端部が底板部に接触する長さを有し、天板部に、下向きＬ字形に切り起こして係止片を形成し、底板部に、前端部の一部を切り起こし、かつ、後方へ折曲した折込片を形成し、前記天板部の係止片を前記仕切り壁のガイド溝に差し込んで前記仕切り補強金具の係止部の下面に係止し、前記底板部の折込片を前記仕切り壁の係止溝に係止したことを特徴とする。
【発明の効果】
【０００８】
請求項１記載の発明は、ハウジングをシールドケースで被覆し、このシールドケースの内部に、少なくとも２連のコネクタ挿入孔を具備してなる多連コネクタにおいて、前記コネクタ挿入孔の相互間の境界箇所におけるシールドケースの天板部と底板部の間に仕切り補強金具を介在したので、こじりに対する強度の向上、薄型化、小型化、高速伝送対応のシールド構造の多連コネクタを得ることができる。
【０００９】
請求項２記載の発明は、コネクタ挿入孔の相互間の境界箇所にハウジングと一体の仕切り壁を設け、この仕切り壁に、シールドケースの天板部から底板部まで達する長さの仕切り補強金具を被せ、この仕切り補強金具の上端部でシールドケースの天板部と連結し、仕切り壁の下端部でシールドケースの底板部と連結したので、左右、上下方向のこじり強度に対し、優れた性能を確保することができる。
【００１０】
請求項３記載の発明は、仕切り壁は、ハウジングの後方から前方へ角柱状に突設してなり、この仕切り壁の上面にガイド溝を形成し、かつ、前端部に係止溝を形成し、仕切り補強金具は、断面下向きコ字形で、上面に係止部を形成し、両側面下端部が底板部に接触する長さを有し、天板部に、下向きＬ字形に切り起こして係止片を形成し、底板部に、前端部の一部を切り起こし、かつ、後方へ折曲した折込片を形成し、前記天板部の係止片を前記仕切り壁のガイド溝に差し込んで前記仕切り補強金具の係止部の下面に係止し、前記底板部の折込片を前記仕切り壁の係止溝に係止したので、ハウジングにまず仕切り補強金具を組み込み、次いでシールドケースを嵌め込むだけでこじりに対して補強された多連コネクタを簡単に組み立てることができる。
【００１１】
請求項４記載の発明は、仕切り壁は、ハウジングの後方から前方へ角柱状に突設し、この仕切り壁の前端部に係止溝を形成し、仕切り補強金具は、断面下向きコ字形で、上面に係止片を形成し、両側面下端部を底板部に接触する長さを有し、天板部に、下向きに切り起こして係止部を形成し、板部に、前端部の一部を切り起こし、かつ、後方へ折曲した折込片を形成し、前記天板部の係止部に前記仕切り補強金具の係止片を差し込み係止し、前記底板部の折込片を前記仕切り壁の係止溝に係止したので、仕切り壁と仕切り補強金具の構造をより一層簡素化できる。
【００１２】
請求項５記載の発明は、シールドケースの天板部と、仕切り補強金具の上面と、仕切り壁と、シールドケースの底板部とに、上下に貫通する差込孔を穿設し、これらの差込孔に固定ピンを差し込み、この固定ピンの上下端部の突出部分を抜け止め係止したので、こじりに対する強度をより一層高めることができる。
【発明を実施するための最良の形態】
【００１３】
本発明による多連コネクタは、ハウジングをシールドケースで被覆し、このシールドケースの内部に、少なくとも２連のコネクタ挿入孔を具備してなる多連コネクタにおいて、前記コネクタ挿入孔の相互間の境界箇所にハウジングと一体の仕切り壁を設け、この仕切り壁に、前記シールドケースの天板部から底板部まで達する長さの仕切り補強金具を被せ、この仕切り補強金具の上端部でシールドケースの天板部と連結し、前記仕切り壁の下端部でシールドケースの底板部と連結して構成する。
【００１４】
前記仕切り壁は、ハウジングの後方から前方へ角柱状に突設してなり、この仕切り壁の上面にガイド溝を形成し、かつ、前端部に係止溝を形成する。
前記仕切り補強金具は、断面下向きコ字形で、上面に係止部を形成し、両側面下端部が底板部に接触する長さを有する。
前記天板部には、下向きＬ字形に切り起こして係止片を形成する。
前記底板部には、前端部の一部を切り起こし、かつ、後方へ折曲した折込片を形成し、前記天板部の係止片を前記仕切り壁のガイド溝に差し込んで前記仕切り補強金具の係止部の下面に係止し、前記底板部の折込片を前記仕切り壁の係止溝に係止する。
【実施例１】
【００１５】
図１ないし図４において、本発明による多連コネクタは、ハウジング２０と、シールドケース２１と、複数本の第１電極２５と、複数本の第２電極２６と、仕切り補強金具３４との各部品で構成されている。なお、本発明の実施例では、２連コネクタを示しているが、３連以上のコネクタであっても本発明は適用できる。。
【００１６】
前記ハウジング２０は、プラスチックなどの絶縁性を有する材料で構成されている。このハウジング２０は、図２における後方の基部から前方に向けて薄い２つの第１電極保持板２２と第２電極保持板２３が突出している。この第１電極保持板２２と第２電極保持板２３の底面側には、クランク状の細い第１電極２５と第２電極２６が多数本取り付けられ、これらの第１電極２５と第２電極２６の他端部は、ハウジング２０を貫通して背面でＬ字状に折曲している。前記第１電極保持板２２と第２電極保持板２３の境界における隙間には、仕切り壁２４が後方から前方に一体に突出して設けられている。
【００１７】
前記仕切り壁２４は、角柱状をなし、上面には、前面側からガイド溝３２が形成され、また、前面端部の中間位置には、水平な係止溝３３が形成されている。
なお、ハウジング２０の基部上面には、上面膨出部２９と、上面切欠き３０と、逃げ溝３７が形成され、基部下面には、下面切溝３１が形成されている。
【００１８】
前記仕切り補強金具３４は、下向きコ字形又はＵ字形に折曲し、天板部分には、前面から前記ガイド溝３２より短い溝が形成されてこの溝の内方端部が係止部３５となっている。また、天板部分後方には、前記ハウジング２０の逃げ溝３７に嵌め込んだ後、ハウジング２０の後壁に沿って垂れ下がり、下端でＬ字形に屈曲した端子部３６となっている。
【００１９】
前記シールドケース２１は、導電性を有する細くて薄い金属板を用い、天板部３８、両側の側板部４０、底板部３９となるように扁平な角筒状に折曲する。前記底板部３９の当接する部分では、突き合わせられる両側の底板３９の端の２個の３角形をした嵌合片４５が互いに噛み合わせられて結合し、また、この結合部分の一部を立ち上がらせてから水平に内方に折曲して前記仕切り壁２４の係止溝３３に係止する折込片４６を一体に形成する。底板部３９の後端部には、前記下面切溝３１に係合する切起こし片４７が切り起こし形成されている。
【００２０】
このシールドケース２１の天板部３８には、前記仕切り壁２４のガイド溝３２に案内されながら仕切り補強金具３４の係止部３５に差し込み係止される係止片４４が下向きＬ字形に切り起こされている。この天板部３８には、また、図３に示すように、下向きの膨出部４３が形成され、第１電極保持板２２と天板部３８との間及び第２電極保持板２３と天板部３８との間の隙間を保持している。また、天板部３８の後方には、前記ハウジング２０の上面膨出部２９と係合する係合切欠き４１と、上面切欠き３０と係止する係止突部４２が形成されている。
【００２１】
以上のように構成されたハウジング２０の基部の背面から第１電極保持板２２と第２電極保持板２３の下面には、多数の第１電極２５と第２電極２６を圧入するか、ハウジング２０に一体にモールド成型して取り付ける。
仕切り補強金具３４は、図１に示すように、仕切り壁２４に上から被せる。
つぎに、シールドケース２１をハウジング２０に嵌め込む。すると、図４に示すように、係止片４４は、仕切り壁２４のガイド溝３２に案内され、仕切り補強金具３４の係止部３５の下に差し込まれるとともに、折込片４６が仕切り壁２４の係止溝３３に係止する。この時、図３に示すように、膨出部４３が第１電極保持板２２と第２電極保持板２３の上面に接触して天板部３８との間にわずかに隙間を形成する。さらに、切起こし片４７は下面切溝３１に、係合切欠き４１は上面膨出部２９に、係止突部４２は上面切欠き３０に係合してハウジング２０と、シールドケース２１と、仕切り補強金具３４とが一体に結合される。
【００２２】
このようにして、ハウジング２０の第１電極保持板２２とシールドケース２１の底板部３９の間が第１コネクタ挿入孔２７として構成され、また、第２電極保持板２３と底板部３９の間が第２コネクタ挿入孔２８として構成される。また、これら第１コネクタ挿入孔２７と第２コネクタ挿入孔２８の境界部分は、仕切り壁２４と仕切り補強金具３４にて天板部３８と底板部３９の間がしっかりと保持され、コネクタプラグ４８の挿抜時にコネクタプラグ４８によって上下左右のこじりに対して十分な強度を持つようになる。
【００２３】
前記実施例において、前記仕切り補強金具３４は、下向きコ字形又はＵ字形に折曲形成したが、この形状に限定されるものではなく、Ｔ字形、Ｉ字形、Ｌ字形、Ｚ字形などであってもよい。後述する実施例２、実施例３でも同様である。
【実施例２】
【００２４】
前記実施例１では、係止片４４をシールドケース２１の天板部３８に下向きに切り起こし形成し、仕切り壁２４のガイド溝３２に案内されながら仕切り補強金具３４の係止部３５に差し込み固定したが、これに限られるものではない。
実施例２では、図５（ａ）（ｂ）に示すように、シールドケース２１の天板部３８に下方へ突出した係止部３５を形成し、仕切り壁２４に形成した係止片４４を係合固定するようにしてもよい。この場合、仕切り壁２４の係止溝３３にシールドケース２１の底板部３９に形成した折込片４６を係止することは、実施例１と変わるところはない。
【実施例３】
【００２５】
前記実施例１では、係合する係止片４４を天板部３８に形成し、前記実施例２では、係合する係止片４４を仕切り補強金具３４に形成したが、これに限るものではなく、図６に示すように、シールドケース２１の天板部３８と、仕切り補強金具３４と、仕切り壁２４と、底板部３９とに一直線に貫通する差込孔４９、５０、５１、５２を穿設し、これらに上端をＬ字状に折曲した固定ピン５３を差し込み、下端部の突出部分を折り込み抜け止めとするように構成してもよい。
【図面の簡単な説明】
【００２６】
【図１】本発明による多連コネクタの一実施例を示す正面図である。
【図２】本発明による多連コネクタの分解斜視図である。
【図３】図１のＡ−Ａ線断面図である。
【図４】図１のＢ−Ｂ線断面図である。
【図５】（ａ）は、本発明の実施例２におけるによる要部の断面図、（ｂ）は、（ａ）におけるＣ−Ｃ線断面図である。
【図６】本発明による実施例３を示す断面図である。
【図７】従来の多連コネクタの分解斜視図である。
【符号の説明】
【００２７】
１０…ハウジング、１１…シールドケース、１２…同軸コネクタ部、１３…多極コネクタ部、１４…同軸コネクタ差し込み孔、１５…多極コネクタ差し込み孔、１６…保持溝、１７…屈曲係止縁、１８…前筒部、１９…カバー体、２０…ハウジング、２１…シールドケース、２２…第１電極保持板、２３…第２電極保持板、２４…仕切り壁、２５…第１電極、２６…第２電極、２７…第１コネクタ挿入孔、２８…第２コネクタ挿入孔、２９…上面膨出部、３０…上面切欠き、３１…下面切溝、３２…ガイド溝、３３…係止溝、３４…仕切り補強金具、３５…係止部、３６…端子部、３７…逃げ溝、３８…天板部、３９…底板部、４０…側板部、４１…係合切欠き、４２…係止突部、４３…膨出部、４４…係止片、４５…嵌合片、４６…折込片、４７…切起こし片、４８…コネクタプラグ、４９…差込孔、５０…差込孔、５１…差込孔、５２…差込孔、５３…固定ピン。
【図１】
2010080360.tif 000003
【図２】
2010080360.tif 000004
【図３】
2010080360.tif 000005
【図４】
2010080360.tif 000006
【図５】
2010080360.tif 000007
【図６】
2010080360.tif 000008
【図７】
2010080360.tif 000009